(57)【要約】【課題】  椀に収容した飲食物等の量目表示を設ける場合の量目表示を利用して、椀の強度を高め、椀の軽量化を図るとともに、射出成形上の成形欠陥であるひけを目立たないものとする。【解決手段】  椀体における量目表示５０を、椀体２０の内側面２Ａに環状に連続して突出する立体的な凸条Ｔ１…として形成することによって、量目表示５０に補強リブに類似する補強効果を発揮させる。量目表示５０としての凸条Ｔ１…は、複数本を同心配置し、そのうちの少なくとも１本をひけに隣接して設けることで、ひけを認識させる原因となる対比面を失わせる。【選択図】  図１
2008126006.tif 000002
【特許請求の範囲】
【請求項１】
合成樹脂材料から椀側面と椀底面とからなる椀体と、椀底面から下方に向けて突出する環状の高台とを射出成形手段によって一体成形してなる合成樹脂製の椀であって、椀体の内側面に、該椀体に収容した飲食物の体積等を表示する量目表示を設けた椀において、
前記合成樹脂材料は、熱可塑性合成樹脂材料を使用するとともに、前記量目表示が、前記椀体の内側面に環状に連続して隆起突出し、平面視において同心に配置される複数本の凸条であること、を特徴とする、
椀体の内部に立体的量目表示を設けた椀。
【請求項２】
前記量目表示としての複数本の凸条のうちの少なくとも１本を、前記熱可塑性合成樹脂材料を射出成形することによって生じる環状のひけに隣接して形成すること、を特徴とする、        
請求項１に記載の椀体の内部に立体的量目表示を設けた椀。
【請求項３】
前記椀体は、前記椀底面に前記高台を取り囲むように一周する断面逆Ｕ字溝状の指掛け溝を備えること、を特徴とする、
請求項２に記載の椀体の内部に立体的量目表示を設けた椀。
【請求項４】
前記椀体は、外側面に、前記量目表示として前記椀体の内側面に形成した複数本の凸条に対応して形成する環状の隆起した凸条模様を備えること、を特徴とする、
請求項１ないし請求項３のいずれか１項に記載の椀体の内部に立体的量目表示を設けた椀。
【発明の詳細な説明】
【技術分野】
【０００１】
本発明は、合成樹脂製の椀の改良に係り、特に、熱可塑性合成樹脂材料を射出成形して製造することを前提として、椀体の内部に立体的量目表示を設けることによって、軽量化と高強度の両立、使用上の利便性の向上、成形欠陥を無視可能とすることの３つの課題を解決した椀体の内部に立体的量目表示を設けた椀に関する。
【背景技術】
【０００２】
合成樹脂製の椀は、射出成形手段を利用する優れた量産性によって椀類の主流を占めるに至っている。樹脂材料には、主に、コスト面からの要求により、一般に、ＡＢＳ、ＰＰ、ＰＥＴ、ＰＢＴ樹脂等、これらの適宜配合による熱可塑性合成樹脂材料のほか、熱硬化性樹脂としてフェノール樹脂が利用される。
【０００３】
合成樹脂製の椀は、普及率が高いものの欠点を有しない訳ではない。天然木を使用する伝統的な椀に対する経済的な有利性によって普及しているに過ぎない。具体的に指摘すると、木製椀に比べて重いため使用感がよくないという問題がある。この問題に対しては、従来、椀を薄肉に仕上げるための金型の検討や樹脂材料に木粉を配合する等の対策が講じられている。また、熱可塑性合成樹脂材料を用いる場合における成形欠陥である、反りやひけの問題があり、特に、この熱可塑性合成樹脂製の椀の場合は、ひけが品質に影響する。椀は、椀底部で高台と接続され、その高台の接続部分での肉厚が厚いので、椀底部の中央側に凹んだようにひけマークが見られる。このひけまークは、椀のように塗装して装飾性の向上を図る上で、塗装した内面に目視で容易に観察され、品質に影響を与え、その量産性においても影響する。
【０００４】
すなわち、この成形欠陥は、成形直後の椀各部の冷却温度が椀全体について一様となり得ないという理由に起因して発生するため、理論的な意味において不可避的な問題であり、したがって、完全に解消すると言うよりは、いかに発生量を抑えるかが現実の課題となっている。この２つの問題は、具体的に指摘されるか否かにかかわらず、合成樹脂製の椀に関して恒常的に存在する基本的な問題である。
【０００５】
なお、上記合成樹脂製の椀類が有する問題とは別に、椀および椀に類似する食器類の利便性を高める目的で、これらの内側面に収容する飲食物の量や重さ、体積等を表示するための目盛り線や数字、図案等の視覚的目印としての量目表示を設けたもの、および椀の取扱い性を改善するため、椀底面に高台を取り囲むように一周する断面逆Ｕ字溝状の指掛け溝を設ける例が提案されている。
【特許文献１】特開平９−２４８２３７号公報
【特許文献２】特開平１０−２３９５６号公報
【特許文献３】実用新案登録３０６７７０４号公報
【特許文献４】実用新案登録３０７６３７４号公報
【特許文献５】実用新案登録３０８２９５３号公報
【特許文献６】特開２００６−２８０８９８号公報
【発明の開示】
【発明が解決しようとする課題】
【０００６】
上記公報に示される提案は、健康管理のためのカロリ計算や軽量カップ代用の用途に用いる目的を有するものであるが（特許文献１ないし５）、調理の都度に軽量カップ等を準備することなく調理材料の量や重さを計量することができるので、実際に非常に便利である。しかしながら、椀体の内部に表示される目盛り線や数字、図案等の量目表示は、例えば、漆器椀のような伝統的デザインを採用する椀においては、視覚的にあまりにも不釣合いであって到底採用することができないという問題があった。また、表示される目盛り線や数字、図案等は、前記した合成樹脂製の椀類が恒常的に有する重さの問題や成形欠陥の問題に何ら寄与していない。
【０００７】
また、椀底面に高台を取り囲むように一周する断面逆Ｕ字溝状の指掛け溝を設けるものは、一方の手で椀を傾けて他方の手の添え指を高台の下側に差し入れて椀を持ち上げるような煩雑な動作を要することなく、添え指を直接に指掛け溝に掛けて一方の手のみによって簡単に椀を持ち上げることができるので、実際上、極めて便利である（特許文献６）。この指掛け溝を設けることによって、椀底面と接続する高台との接続部、高台の外周の指掛け部とした突出部との連続部で、その肉厚が部分的に急激に変化しており、この部分にひけが顕著に発生するという問題が発生する。
【０００８】
本発明は、従来の目盛り線や数字、図案等と同等の量目表示機能を有し、しかも、伝統的なデザインを有する椀類にも採用可能な量目表示手段を検討するとともに、この量目表示手段によって、合成樹脂製の椀類が有する重さの問題や成形欠陥の問題を解決することを目的とする。
【課題を解決するための手段】
【０００９】
本発明は、上記課題を解決するために次のような手段を採用する。
【００１０】
本発明の請求項１に記載の椀体の内部に立体的量目表示を設けた椀は、合成樹脂材料から椀側面と椀底面とからなる椀体と、椀底面から下方に向けて突出する環状の高台とを射出成形手段によって一体成形してなる合成樹脂製の椀であって、椀体の内側面に、椀体に収容した飲食物の体積等を表示する量目表示を設けた椀において、合成樹脂材料は、熱可塑性合成樹脂材料を使用するとともに、量目表示が、椀体の内側面に環状に連続して隆起突出し、平面視において同心に配置される複数本の凸条であることを特徴とする、
【００１１】
上記構成における量目表示は、椀体の内側面に同心に配置される複数本の凸条であって、各凸条は、椀体の内側面に立体的に隆起突出し、しかも環状に連続する形態である。かかる形態の凸条は、例えば、ペットボトルや缶容器において補強目的で形成されることに照らしても明らかなように、薄肉成形製品に立体構造が有する構造強度を付加する機能を発揮することができる。したがって、椀体の内側面に複数本の凸条を設けることによって、椀体の強度を低下させることなく椀体を薄肉化し、合成樹脂製の椀類において懸案化していた重さの問題を解決することができる。また、凸条を、例えば、水５０ＣＣ量刻みに配置したり、米１合に一致させて配置することにより、量目表示としての機能を発揮させることができる。さらに、複数本の凸条は、伝統的な椀におけるデザイン手法である千筋模様の環状線に類似することに照らしても明らかなように、伝統的なデザインの椀に対しても違和感なく採用することができる。この凸条を設ける手段としては、金型の雄型の外周面に凸条の分だけ削り込めばよいので、その金型の製作の上からも容易である。
【００１２】
本発明の請求項２に記載の椀体の内部に立体的量目表示を設けた椀は、量目表示としての複数本の凸条のうちの少なくとも１本を熱可塑性合成樹脂材料を射出成形することによって生じる環状のひけに隣接して形成することを特徴とする。        
【００１３】
上記構成において、熱可塑性合成樹脂材料の成形品における成形欠陥である環状のひけに隣接して形成される凸条は、ひけを解消するものではなく、ひけマークを視覚的に判別不能とするように機能することができる。すなわち、ひけマークは、成形品の面の円滑な連続性が極く僅かに損なわれることによって、隣接する面との比較において欠陥と認識されるのであり、したがって、ひけマークに隣接して凸条を隆起形成し、その凸条によって面の連続性の比較判断を困難とさせ、ひけマークを視覚的に認識不能とすることができるのである。
【００１４】
本発明の請求項３に記載の椀体の内部に立体的量目表示を設けた椀は、請求項２に記載の椀体が、椀底面に高台を取り囲むように一周する断面逆Ｕ字溝状の指掛け溝を備える椀体であることを特徴とする。
【００１５】
上記構成における椀体は、椀底面に断面逆Ｕ字溝状の指掛け溝を備えることによって、指掛け溝に対応する位置の椀体の内側面にひけが発生するのであるが、ひけに隣接して配置される凸条の存在によって、ひけの発生を無視し得るものとすることができる。
【００１６】
本発明の請求項４に記載の椀体の内部に立体的量目表示を設けた椀は、椀体がその外側面に、量目表示として椀体の内側面に形成した複数本の凸条に対応して形成する環状の凸条模様を備えることを特徴とする。
【００１７】
上記構成においては、椀体の内側面の凸条と外側面の凸条模様とが椀体の肉厚を挟んで対応して形成されることになる。したがって、凸条を形成することによる椀体に対する補強効果は、凸条模様によって増強されることとなり、凸条を射出成形に際しての離型作業に支障がないように低く設定する場合であっても、十分な補強効果を得ることができるとともに、椀体の外側面の立体的な凸条模様は、椀に造り込みの手数を感じさせる豪華な外観をもたらすことができる。そして、椀体の内側面と外側面とに凸条を形成しているから、内側面の上下となった凸条と凸条との間にもひけが発生するから、底面側でのひけマーク、すなわち、高台接続部分の内側の椀底面と、高台接続分の外側に発生するひけマークも認識不能とすることができる。この外側面の凸条は、金型の雌型内面を削り込むことによって形成できるから、内側面の凸条の形成とあわせ、金型の製作上容易である。
【発明の効果】
【００１８】
本発明に係る椀体の内部に立体的量目表示を設けた椀は、隆起するように突出した量目表示としたので、その突出した凸条の頂部の塗料付着が薄いから、生地下塗りを透かすように線状に視認でき、そして従来技術において平面的であった椀体における量目表示を、椀体の内側面に環状に連続して突出し立体的なものとして形成することによって、量目表示に補強リブに類似する補強効果を発揮させることができ、必要十分な強度を維持して椀体の肉厚をおさえることを可能とし、合成樹脂製の椀において懸案化していた重いという問題を解決するとともに、量目表示は熱可塑性合成樹脂材料を使用する場合の不可避的な成形欠陥であるひけに隣接して設けることにより、事実上、視覚的なひけの認識を不能とすることができるという顕著な効果を奏する。
【発明を実施するための最良の形態】
【００１９】
以下、図面を引用しながら本発明の実施の形態を説明する。
【００２０】
立体的量目表示を設けた椀１０は、飲食物を収容する椀体２０と、椀体２０を安定に置くための高台３０とからなり、椀体２０の内側面２Ａに量目表示５０を備える。また、椀体２０は、直立姿勢に近い椀側面２１と水平姿勢に近い椀底面２２とからなる。これらの各部は、例えば、ＡＢＳ、ＰＰ、ＰＥＴ、ＰＢＴ樹脂等、これらの適宜配合による熱可塑性合成樹脂材料から射出成形手段によって一体成形される（図１，図２）。
【００２１】
椀１０全体は、中心軸ＣＬを有する回転体形状であって、椀１０として伝統的な外形を備える。椀体２０の内側面２Ａには、量目表示５０として５本の凸条Ｔ１…が形成されている（図３、図６では、凸条Ｔ１は４本の場合を図示している）。各凸条Ｔ１の断面は、丸山形をなして椀体２０内部に突出する形状であり、平面形状は、中心軸ＣＬを中心とする環状である。また、５本の凸条Ｔ１…は、中心軸ＣＬについて同心に配置されている。そして、このような量目表示５０は、立体的であることにより補強リブとして機能するので、椀体２０の肉厚を薄く形成することが可能となる。なお、各凸条Ｔ１は、高台３０の接続部Ｄ寄りから、例えば、３０ＣＣ、５０ＣＣ、７０ＣＣ…のように記憶しやすい体積に一致させて設けられている。また、一番上側の凸条Ｔ１が椀体２０の点渕２Ｃに極端に接近または一致することは、口当たりにおいてもデザインにおいても違和感が生じることとなる。
【００２２】
量目表示５０としての凸条Ｔ１…は、例えば、射出成形において発生するひけＰ１に隣接して形成することによって、視覚的にひけＰ１を無視し得るものとすることができる（図３）。これは、ひけＰ１が解消されるからではなく、ひけＰ１を比較認識するための隣接面が隆起した凸条Ｔ１の存在によって失われるからである。しかし、この場合には、最も内側の凸条Ｔ１が椀底面２２の中心に寄り過ぎ、量目表示５０としては不適当となるきらいがあるので、椀体２０のサイズや形状との兼ね合いで採用することが好ましい。
【００２３】
立体的な量目表示５０を備える椀１０は、椀体２０の外側面２Ｂに椀体２０の内側面２Ａの複数本の凸条Ｔ１…に対応する環状の凸条模様４０を形成することができる（図４，図５）。凸条模様４０は、断面形状が三角波形の複数の凸条Ｔ２…によって隆起形成されている。このような凸条模様４０は、椀１０の外観の構成要素としてのみならず、量目表示５０としての凸条Ｔ１…と対応して配置されていることにより、対応する部分における椀体２０の肉厚２Ｆが加算的に厚くなるので、椀体２０に対する補強効果を一層強めることができる。したがって、椀１０全体をより軽量化することができるため、鈍重感を伴わない取扱い感が軽快な椀１０を実現することができる。
【００２４】
凸条Ｔ１と凸条Ｔ２を対応して設置した場合、その椀体２０の内側面２Ａの凸条Ｔ１とＴ１との間にはひけマークが発生して、全体にひけの影響を視認し難くなるので効果的でもある。ただし、この量目表示５０としての凸条Ｔ１…と凸条模様４０としての凸条Ｔ２…は、必ずしも対応して設けなければならないものではなく、対応していなくても凸条Ｔ２独自の補強効果は、当然に発揮することができる。
【００２５】
立体的な量目表示５０は、椀と称することができる器である限り、椀１０の形状に拘束されることなく適応することができる。したがって、椀１０として、例えば、椀底面２２に高台３０を取り巻く態様の断面逆Ｕ字溝状の指掛け溝２３が形成されているものを採用することもできる（図６）。
【００２６】
上記形態の椀１０においては、逆Ｕ字状に形成した指掛け溝２３の存在により、椀底面２２の肉厚と高台３０の接続部Ｄの肉厚とが極端に変化することにより、椀底面２２の中心側方向に歪んだようなひけ（符号なし）と、高台３０と指掛け溝２３によって隔てられた突出部２Ｄとの境にひけＰ１が顕著に出現するのであるが、この椀１０における量目表示５０としての凸条Ｔ１…は、内側面２Ａに隆起した凸条Ｔ１をひけＰ１に隣接して配置することにより、ひけＰ１を目立たないようにするのに特に有効に活用することができる。
【００２７】
椀体２０の内側面２Ａに設ける凸条Ｔ１としては、丸山形の凸条Ｔ１（図７（Ａ））に代えて、三角波形の凸条Ｔ２（図７（Ｂ））または台形の凸条（図７（Ｃ））を採用することができる。そして、このことは、凸条模様４０を形成するための凸条Ｔ２についても同様である。ここで、重要であるのは、これらの凸条Ｔ１，Ｔ２，Ｔ３が射出成形の離型工程における離型の障害とならないようにしなければならないということである。
【００２８】
すなわち、凸条Ｔ１，Ｔ２，Ｔ３は、いずれも突出形状であるため離型に際しては、エジェクタピンによる突き出し、または、圧縮空気の供給による強制的な型抜き、いわゆる無理抜きが必要となる。無理抜きが可能な限度は、使用する樹脂材料によって相当に異なり、例えば、ＰＥＴ、ＰＰ、ＡＢＳの順に限度が低下する。したがって、凸条Ｔ１，Ｔ２，Ｔ３の突出量を大きく設定する場合には、ＰＥＴまたはＰＥＴを多く含む樹脂材料を使用することが好ましい。
【００２９】
また、塗装性を重要視する場合は、ＡＢＳ樹脂が優れており、電子レンジに適用可能な椀としたいときは、ＰＥＴ樹脂にＡＢＳ樹脂材料を少量混合したものを使用して成形することによって、より使用勝手な利便性を向上することができる。
【００３０】
この椀体１０内側面２Ａに、たとえば、黒色の塗料を下塗りして乾燥後、椀の塗装に好んで使用される朱色の塗装をして乾燥すると、隆起状に突出した凸条Ｔ１の頂部の塗装が薄い塗膜状に仕上がるので、下塗りの黒色が、線状に透かしたように視認でき、量目表示がより鮮明に表示される。実験結果では、内側面２Ａに突出した凸条Ｔ１を形成した椀において、その内側の下塗りの色は黒色とし、そして上塗りする色は明るい艶のある塗装色にすると、適合性が良く、量目表示の目的が達成できると考えられる。
【図面の簡単な説明】
【００３１】
【図１】本発明の実施の形態を示す斜視図である。
【図２】上記実施の形態における縦断面図である。
【図３】本発明の別の実施の形態を示す縦断面図である。
【図４】本発明の別の実施の形態を示す斜視図である。
【図５】上記実施の形態における縦断面図である。
【図６】本発明の別の実施の形態を示す縦断面図である。
【図７】本発明の実施の形態における凸条の変形例を示す要部の拡大断面図である。
【符号の説明】
【００３２】
ＣＬ      中心軸
Ｔ１      凸条
Ｔ２      凸条
Ｔ３      凸条
１０      椀
２０      椀体
２Ａ      椀体の内側面
２Ｂ      椀体の外側面
２１      椀側面
２２      椀底面
２３      指掛け溝
３０      高台
４０      凸条模様
５０      量目表示
【図１】
2008126006.tif 000003
【図２】
2008126006.tif 000004
【図３】
2008126006.tif 000005
【図４】
2008126006.tif 000006
【図５】
2008126006.tif 000007
【図６】
2008126006.tif 000008
【図７】
2008126006.tif 000009
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
合成樹脂材料から椀側面と椀底面とからなる椀体と、椀底面から下方に向けて突出する環状の高台とを射出成形手段によって一体成形してなる合成樹脂製の椀であって、椀体の内側面に連続して隆起突出した複数本の凸条で形成して、該椀体に収容した飲食物の体積等を表示する量目表示を設けた椀において、
前記合成樹脂材料は、熱可塑性合成樹脂材料を使用するとともに、前記複数本の凸条のうち少なくとも１本を、前記合成樹脂材料を射出成形することによって生じる環状のひけに隣接して形成すること、を特徴とする、
椀体の内部に立体的量目表示を設けた椀。
【請求項２】
前記椀体は、前記椀底面に前記高台を取り囲むように一周する断面逆Ｕ字溝状の指掛け溝を備えること、を特徴とする、
請求項１に記載の椀体の内部に立体的量目表示を設けた椀。
【請求項３】
前記椀体は、外側面に、前記量目表示として前記椀体の内側面に形成した複数本の凸条に対応して形成する環状の隆起した凸条模様を備えること、を特徴とする、
請求項１または請求項２のいずれか１項に記載の椀体の内部に立体的量目表示を設けた椀。
【手続補正２】
【補正対象書類名】明細書
【補正対象項目名】全文
【補正方法】変更
【補正の内容】
【発明の詳細な説明】
【技術分野】
【０００１】
本発明は、合成樹脂製の椀の改良に係り、特に、熱可塑性合成樹脂材料を射出成形して製造することを前提として、椀体の内部に立体的量目表示を設けることによって、軽量化と高強度の両立、使用上の利便性の向上、成形欠陥を無視可能とすることの３つの課題を解決した椀体の内部に立体的量目表示を設けた椀に関する。
【背景技術】
【０００２】
合成樹脂製の椀は、射出成形手段を利用する優れた量産性によって椀類の主流を占めるに至っている。樹脂材料には、主に、コスト面からの要求により、一般に、ＡＢＳ、ＰＰ、ＰＥＴ、ＰＢＴ樹脂等、これらの適宜配合による熱可塑性合成樹脂材料のほか、熱硬化性樹脂としてフェノール樹脂が利用される。
【０００３】
合成樹脂製の椀は、普及率が高いものの欠点を有しない訳ではない。天然木を使用する伝統的な椀に対する経済的な有利性によって普及しているに過ぎない。具体的に指摘すると、木製椀に比べて重いため使用感がよくないという問題がある。この問題に対しては、従来、椀を薄肉に仕上げるための金型の検討や樹脂材料に木粉を配合する等の対策が講じられている。また、熱可塑性合成樹脂材料を用いる場合における成形欠陥である、反りやひけの問題があり、特に、この熱可塑性合成樹脂製の椀の場合は、ひけが品質に影響する。椀は、椀底部で高台と接続され、その高台の接続部分での肉厚が厚いので、椀底部の中央側に凹んだようにひけマークが見られる。このひけマークは、椀のように塗装して装飾性の向上を図る上で、塗装した内面に目視で容易に観察され、品質に影響を与え、その量産性においても影響する。
【０００４】
すなわち、この成形欠陥は、成形直後の椀各部の冷却温度が椀全体について一様となり得ないという理由に起因して発生するため、理論的な意味において不可避的な問題であり、したがって、完全に解消すると言うよりは、いかに発生量を抑えるかが現実の課題となっている。この２つの問題は、具体的に指摘されるか否かにかかわらず、合成樹脂製の椀に関して恒常的に存在する基本的な問題である。
【０００５】
なお、上記合成樹脂製の椀類が有する問題とは別に、椀および椀に類似する食器類の利便性を高める目的で、これらの内側面に収容する飲食物の量や重さ、体積等を表示するための目盛り線や数字、図案等の視覚的目印としての量目表示を設けたもの、および椀の取扱い性を改善するため、椀底面に高台を取り囲むように一周する断面逆Ｕ字溝状の指掛け溝を設ける例が提案されている。
【特許文献１】特開平９−２４８２３７号公報
【特許文献２】特開平１０−２３９５６号公報
【特許文献３】実用新案登録３０６７７０４号公報
【特許文献４】実用新案登録３０７６３７４号公報
【特許文献５】実用新案登録３０８２９５３号公報
【特許文献６】特開２００６−２８０８９８号公報
【発明の開示】
【発明が解決しようとする課題】
【０００６】
上記公報に示される提案は、健康管理のためのカロリ計算や軽量カップ代用の用途に用いる目的を有するものであるが（特許文献１ないし５）、調理の都度に軽量カップ等を準備することなく調理材料の量や重さを計量することができるので、実際に非常に便利である。しかしながら、椀体の内部に表示される目盛り線や数字、図案等の量目表示は、例えば、漆器椀のような伝統的デザインを採用する椀においては、視覚的にあまりにも不釣合いであって到底採用することができないという問題があった。また、表示される目盛り線や数字、図案等は、前記した合成樹脂製の椀類が恒常的に有する重さの問題や成形欠陥の問題に何ら寄与していない。
【０００７】
また、椀底面に高台を取り囲むように一周する断面逆Ｕ字溝状の指掛け溝を設けるものは、一方の手で椀を傾けて他方の手の添え指を高台の下側に差し入れて椀を持ち上げるような煩雑な動作を要することなく、添え指を直接に指掛け溝に掛けて一方の手のみによって簡単に椀を持ち上げることができるので、実際上、極めて便利である（特許文献６）。この指掛け溝を設けることによって、椀底面と接続する高台との接続部、高台の外周の指掛け部とした突出部との連続部で、その肉厚が部分的に急激に変化しており、この部分にひけが顕著に発生するという問題が発生する。
【０００８】
本発明は、従来の目盛り線や数字、図案等と同等の量目表示機能を有し、しかも、伝統的なデザインを有する椀類にも採用可能な量目表示手段を検討するとともに、この量目表示手段によって、合成樹脂製の椀類が有する重さの問題や成形欠陥の問題を解決することを目的とする。
【課題を解決するための手段】
【０００９】
本発明は、上記課題を解決するために次のような手段を採用する。
【００１０】
本発明の請求項１に記載の椀体の内部に立体的量目表示を設けた椀は、合成樹脂材料から椀側面と椀底面とからなる椀体と、椀底面から下方に向けて突出する環状の高台とを射出成形手段によって一体成形してなる合成樹脂製の椀であって、椀体の内側面に連続して隆起突出した複数本の凸条で形成して、該椀体に収容した飲食物の体積等を表示する量目表示を設けた椀において、合成樹脂材料は、熱可塑性合成樹脂材料を使用するとともに、前記複数本の凸条のうち少なくとも１本を、前記熱可塑性合成樹脂材料を射出成形することによって生じる環状のひけに隣接して形成したことを特徴とする、
【００１１】
上記構成における量目表示は、椀体の内側面に同心に配置される複数本の凸条であって、各凸条は、椀体の内側面に立体的に隆起突出し、しかも環状に連続する形態である。かかる形態の凸条は、例えば、ペットボトルや缶容器において補強目的で形成されることに照らしても明らかなように、薄肉成形製品に立体構造が有する構造強度を付加する機能を発揮することができる。したがって、椀体の内側面に複数本の凸条を設けることによって、椀体の強度を低下させることなく椀体を薄肉化し、合成樹脂製の椀類において懸案化していた重さの問題を解決することができる。また、凸条を、例えば、水５０ＣＣ量刻みの配置、あるいは、米１合に一致させて配置することにより、量目表示としての機能を発揮させることができる。さらに、複数本の凸条は、伝統的な椀におけるデザイン手法である千筋模様の環状線に類似することに照らしても明らかなように、伝統的なデザインの椀に対しても違和感なく採用することができる。この凸条を設ける手段としては、金型の雄型の外周面に凸条の分だけ削り込めばよいので、その金型の製作の上からも容易である。そして、熱可塑性合成樹脂材料の成形品における成形欠陥である環状のひけに隣接して形成される凸条は、ひけを解消するものではなく、ひけマークを視覚的に判別不能とするように機能することができる。すなわち、ひけマークは、成形品の面の円滑な連続性が極く僅かに損なわれることによって、隣接する面との比較において欠陥と認識されるのであり、したがって、ひけマークに隣接して凸条を隆起形成し、その凸条によって面の連続性の比較判断を困難とさせ、ひけマークを視覚的に認識不能とすることができるのである。
【００１２】
本発明の請求項２に記載の椀体の内部に立体的量目表示を設けた椀は、椀体の椀底面で高台を取り囲むように一周する断面逆Ｕ字溝状の指掛け溝を備える椀体であることを特徴とする。
【００１３】
上記構成における椀体は、椀底面に断面逆Ｕ字溝状の指掛け溝を備えることによって、指掛け溝に対応する位置の椀体の内側面にひけが発生するのであるが、ひけに隣接して配置される凸条の存在によって、ひけの発生を無視し得るものとすることができる。
【００１４】
本発明の請求項３に記載の椀体の内部に立体的量目表示を設けた椀は、椀体がその外側面に、量目表示として椀体の内側面に形成した複数本の凸条に対応して形成する環状の凸条模様を備えることを特徴とする。
【００１５】
上記構成においては、椀体の内側面の凸条と外側面の凸条模様とが椀体の肉厚を挟んで対応して形成されることになる。したがって、凸条を形成することによる椀体に対する補強効果は、凸条模様によって増強されることとなり、凸条を射出成形に際しての離型作業に支障がないように低く設定する場合であっても、十分な補強効果を得ることができるとともに、椀体の外側面の立体的な凸条模様は、椀に造り込みの手数を感じさせる豪華な外観をもたらすことができる。そして、椀体の内側面と外側面とに凸条を形成しているから、内側面の上下となった凸条と凸条との間にもひけが発生するから、底面側でのひけマーク、すなわち、高台接続部分の内側の椀底面と、高台接続分の外側に発生するひけマークも認識不能とすることができる。この外側面の凸条は、金型の雌型内面を削り込むことによって形成できるから、内側面の凸条の形成とあわせ、金型の製作上容易である。
【発明の効果】
【００１６】
本発明に係る椀体の内部に立体的量目表示を設けた椀は、隆起するように突出した量目表示としたので、その突出した凸条の頂部の塗料付着が薄いから、生地下塗りを透かすように線状に視認でき、そして従来技術において平面的であった椀体における量目表示を、椀体の内側面に環状に連続して突出し立体的なものとして形成することによって、量目表示に補強リブに類似する補強効果を発揮させることができ、必要十分な強度を維持して椀体の肉厚をおさえることを可能とし、合成樹脂製の椀において懸案化していた重いという問題を解決するとともに、量目表示は熱可塑性合成樹脂材料を使用する場合の不可避的な成形欠陥であるひけに隣接して設けることにより、事実上、視覚的なひけの認識を不能とすることができるという顕著な効果を奏する。
【発明を実施するための最良の形態】
【００１７】
以下、図面を引用しながら本発明の実施の形態を説明する。
【００１８】
立体的量目表示を設けた椀１０は、飲食物を収容する椀体２０と、椀体２０を安定に置くための高台３０とからなり、椀体２０の内側面２Ａに量目表示５０を備える。また、椀体２０は、直立姿勢に近い椀側面２１と水平姿勢に近い椀底面２２とからなる。これらの各部は、例えば、ＡＢＳ、ＰＰ、ＰＥＴ、ＰＢＴ樹脂等、これらの適宜配合による熱可塑性合成樹脂材料から射出成形手段によって一体成形される（図１，図２）。
【００１９】
椀１０全体は、中心軸ＣＬを有する回転体形状であって、椀１０として伝統的な外形を備える。椀体２０の内側面２Ａには、量目表示５０として５本の凸条Ｔ１…が形成されている（図３、図６では、凸条Ｔ１は４本の場合を図示している）。各凸条Ｔ１の断面は、丸山形をなして椀体２０内部に突出する形状であり、平面形状は、中心軸ＣＬを中心とする環状である。また、５本の凸条Ｔ１…は、中心軸ＣＬについて同心に配置されている。そして、このような量目表示５０は、立体的であることにより補強リブとして機能するので、椀体２０の肉厚を薄く形成することが可能となる。なお、各凸条Ｔ１は、高台３０の接続部Ｄ寄りから、例えば、３０ＣＣ、５０ＣＣ、７０ＣＣ…のように記憶しやすい体積に一致させて設けられている。また、一番上側の凸条Ｔ１が椀体２０の点渕２Ｃに極端に接近または一致することは、口当たりにおいてもデザインにおいても違和感が生じることとなる。
【００２０】
量目表示５０としての凸条Ｔ１…は、例えば、射出成形において発生するひけＰ１に隣接して形成することによって、視覚的にひけＰ１を無視し得るものとすることができる（図３）。これは、ひけＰ１が解消されるからではなく、ひけＰ１を比較認識するための隣接面が隆起した凸条Ｔ１の存在によって失われるからである。しかし、この場合には、最も内側の凸条Ｔ１が椀底面２２の中心に寄り過ぎ、量目表示５０としては不適当となるきらいがあるので、椀体２０のサイズや形状との兼ね合いで採用することが好ましい。
【００２１】
立体的な量目表示５０を備える椀１０は、椀体２０の外側面２Ｂに椀体２０の内側面２Ａの複数本の凸条Ｔ１…に対応する環状の凸条模様４０を形成することができる（図４，図５）。凸条模様４０は、断面形状が三角波形の複数の凸条Ｔ２…によって隆起形成されている。このような凸条模様４０は、椀１０の外観の構成要素としてのみならず、量目表示５０としての凸条Ｔ１…と対応して配置されていることにより、対応する部分における椀体２０の肉厚２Ｆが加算的に厚くなるので、椀体２０に対する補強効果を一層強めることができる。したがって、椀１０全体をより軽量化することができるため、鈍重感を伴わない取扱い感が軽快な椀１０を実現することができる。
【００２２】
凸条Ｔ１と凸条Ｔ２を対応して設置した場合、その椀体２０の内側面２Ａの凸条Ｔ１とＴ１との間にはひけマークが発生して、全体にひけの影響を視認し難くなるので効果的でもある。ただし、この量目表示５０としての凸条Ｔ１…と凸条模様４０としての凸条Ｔ２…は、必ずしも対応して設けなければならないものではなく、対応していなくても凸条Ｔ２独自の補強効果は、当然に発揮することができる。
【００２３】
立体的な量目表示５０は、椀と称することができる器である限り、椀１０の形状に拘束されることなく適応することができる。したがって、椀１０として、例えば、椀底面２２に高台３０を取り巻く態様の断面逆Ｕ字溝状の指掛け溝２３が形成されているものを採用することもできる（図６）。
【００２４】
上記形態の椀１０においては、逆Ｕ字状に形成した指掛け溝２３の存在により、椀底面２２の肉厚と高台３０の接続部Ｄの肉厚とが極端に変化することにより、椀底面２２の中心側方向に歪んだようなひけ（符号なし）と、高台３０と指掛け溝２３によって隔てられた突出部２Ｄとの境にひけＰ１が顕著に出現するのであるが、この椀１０における量目表示５０としての凸条Ｔ１…は、内側面２Ａに隆起した凸条Ｔ１をひけＰ１に隣接して配置することにより、ひけＰ１を目立たないようにするのに特に有効に活用することができる。
【００２５】
椀体２０の内側面２Ａに設ける凸条Ｔ１としては、丸山形の凸条Ｔ１（図７（Ａ））に代えて、三角波形の凸条Ｔ２（図７（Ｂ））または台形の凸条（図７（Ｃ））を採用することができる。そして、このことは、凸条模様４０を形成するための凸条Ｔ２についても同様である。ここで、重要であるのは、これらの凸条Ｔ１，Ｔ２，Ｔ３が射出成形の離型工程における離型の障害とならないようにしなければならないということである。
【００２６】
すなわち、凸条Ｔ１，Ｔ２，Ｔ３は、いずれも突出形状であるため離型に際しては、エジェクタピンによる突き出し、または、圧縮空気の供給による強制的な型抜き、いわゆる無理抜きが必要となる。無理抜きが可能な限度は、使用する樹脂材料によって相当に異なり、例えば、ＰＥＴ、ＰＰ、ＡＢＳの順に限度が低下する。したがって、凸条Ｔ１，Ｔ２，Ｔ３の突出量を大きく設定する場合には、ＰＥＴまたはＰＥＴを多く含む樹脂材料を使用することが好ましい。
【００２７】
また、塗装性を重要視する場合は、ＡＢＳ樹脂が優れており、電子レンジに適用可能な椀としたいときは、ＰＥＴ樹脂にＡＢＳ樹脂材料を少量混合したものを使用して成形することによって、より使用勝手な利便性を向上することができる。
【００２８】
この椀体１０内側面２Ａに、たとえば、黒色の塗料を下塗りして乾燥後、椀の塗装に好んで使用される朱色の塗装をして乾燥すると、隆起状に突出した凸条Ｔ１の頂部の塗装が薄い塗膜状に仕上がるので、下塗りの黒色が、線状に透かしたように視認でき、量目表示がより鮮明に表示される。実験結果では、内側面２Ａに突出した凸条Ｔ１を形成した椀において、その内側の下塗りの色は黒色とし、そして上塗りする色は明るい艶のある塗装色にすると、適合性が良く、量目表示の目的が達成できると考えられる。
【図面の簡単な説明】
【００２９】
【図１】本発明の実施の形態を示す斜視図である。
【図２】上記実施の形態における縦断面図である。
【図３】本発明の別の実施の形態を示す縦断面図である。
【図４】本発明の別の実施の形態を示す斜視図である。
【図５】上記実施の形態における縦断面図である。
【図６】本発明の別の実施の形態を示す縦断面図である。
【図７】本発明の実施の形態における凸条の変形例を示す要部の拡大断面図である。
【符号の説明】
【００３０】
ＣＬ      中心軸
Ｔ１      凸条
Ｔ２      凸条
Ｔ３      凸条
１０      椀
２０      椀体
２Ａ      椀体の内側面
２Ｂ      椀体の外側面
２１      椀側面
２２      椀底面
２３      指掛け溝
３０      高台
４０      凸条模様
５０      量目表示